(57)【要約】      （修正有）【課題】レーザスキャナによりオフセット観測を可能としたターゲット装置及び測量システムを提供する。【解決手段】測距光１５をスキャンし点群データを取得するレーザスキャナ３と、測距光を反射するターゲット６を有するターゲット装置２とを具備し、レーザスキャナは、測距光を射出し、反射光を受光して測距を行う測距部１２と、測距光を２次元に偏向可能な測距光偏向部１３と、測距光偏向部を制御する演算制御部１１とを具備し、演算制御部は、測距光偏向部によりターゲットの表面を通過する様測距光をスキャンし、スキャンで得られる点群データに基づきターゲット表面の曲面を演算し、曲面に基づき基準点を求め、基準点を測距する様構成された。【選択図】図１
2020012645.tif 000002
【特許請求の範囲】
【請求項１】
ポールと該ポールに設けられ、測距光を反射するターゲットとを有し、該ターゲットは前記ポールの軸心を中心とした回転体の形状を有すると共に既知の曲面を有し、該曲面は前記軸心上の一点を基準点として有し、該基準点とポール下端との距離が既知となっているターゲット装置。
【請求項２】
前記ターゲットは、底面で合体する上下２つの円錐台で構成される請求項１に記載のターゲット装置。
【請求項３】
前記ターゲットは、上面で合体する上下２つの円錐台で構成される請求項１に記載のターゲット装置。
【請求項４】
前記ターゲットは、円錐台で構成される請求項１に記載のターゲット装置。
【請求項５】
前記ターゲットは、球体で構成される請求項１に記載のターゲット装置。
【請求項６】
測距光をスキャンし点群データを取得するレーザスキャナと、測距光を反射するターゲットを有するターゲット装置とを具備し、前記ターゲットは、請求項１〜請求項５のいずれかのターゲットであり、前記レーザスキャナは、測距光を射出し、反射光を受光して測距を行う測距部と、測距光を２次元に偏向可能な測距光偏向部と、該測距光偏向部を制御する演算制御部とを具備し、該演算制御部は、前記測距光偏向部により前記ターゲットの表面を通過する様測距光をスキャンし、該スキャンで得られる点群データに基づき前記ターゲット表面の曲面を演算し、該曲面に基づき基準点を求め、該基準点を測距する様構成された測量システム。
【発明の詳細な説明】
【技術分野】
【０００１】
本発明はターゲットの向きを気にすることなくオフセット観測が可能なターゲット装置及び測量システムに関するものである。
【背景技術】
【０００２】
測定対象の形状測定を行う測定装置としてレーザスキャナがある。通常、レーザスキャナは測距光であるレーザ光線を鉛直方向に回転照射しつつ、更に水平回転することで全周囲の点群データを取得する。
【０００３】
又、ターゲットを測定点に設置しターゲットを測定し、測定点のオフセット観測が行われるが、オフセット観測の場合、通常はターゲットを視準し、測定を行うトータルステーションが用いられている。又、トータルステーションでは厳密な視準が要求されていた。
【０００４】
従って、形状測定を行う場合と、オフセット観測を行う場合、或は複数の測定点について測定が要求される場合は、レーザスキャナとトータルステーションの２つの測量機を準備する必要があった。
【先行技術文献】
【特許文献】
【０００５】
【特許文献１】特開２０１６−１５１４２２号公報
【特許文献２】特開２０１６−１５１４２３号公報
【特許文献３】特開２０１６−１６１４１１号公報
【特許文献４】特開２０１７−１０６８１３号公報
【特許文献５】特開２０１７−９６６２９号公報
【特許文献６】特開２０１５−２３０２２９号公報
【発明の概要】
【発明が解決しようとする課題】
【０００６】
本発明は、レーザスキャナによりオフセット観測を可能としたターゲット装置及び測量システムを提供するものである。
【課題を解決するための手段】
【０００７】
本発明は、ポールと該ポールに設けられ、測距光を反射するターゲットとを有し、該ターゲットは前記ポールの軸心を中心とした回転体の形状を有すると共に既知の曲面を有し、該曲面は前記軸心上の一点を基準点として有し、該基準点とポール下端との距離が既知となっているターゲット装置に係るものである。
【０００８】
又本発明は、前記ターゲットは、底面で合体する上下２つの円錐台で構成されるターゲット装置に係るものである。
【０００９】
又本発明は、前記ターゲットは、上面で合体する上下２つの円錐台で構成されるターゲット装置に係るものである。
【００１０】
又本発明は、前記ターゲットは、円錐台で構成されるターゲット装置に係るものである。
【００１１】
又本発明は、前記ターゲットは、球体で構成されるターゲット装置に係るものである。
【００１２】
更に又本発明は、測距光をスキャンし点群データを取得するレーザスキャナと、測距光を反射するターゲットを有するターゲット装置とを具備し、前記ターゲットは、上記いずれかのターゲットであり、前記レーザスキャナは、測距光を射出し、反射光を受光して測距を行う測距部と、測距光を２次元に偏向可能な測距光偏向部と、該測距光偏向部を制御する演算制御部とを具備し、該演算制御部は、前記測距光偏向部により前記ターゲットの表面を通過する様測距光をスキャンし、該スキャンで得られる点群データに基づき前記ターゲット表面の曲面を演算し、該曲面に基づき基準点を求め、該基準点を測距する様構成された測量システムに係るものである。
【発明の効果】
【００１３】
本発明によれば、ポールと該ポールに設けられ、測距光を反射するターゲットとを有し、該ターゲットは前記ポールの軸心を中心とした回転体の形状を有すると共に既知の曲面を有し、該曲面は前記軸心上の一点を基準点として有し、該基準点とポール下端との距離が既知となっているので、前記ターゲットの反射測距光を受光する為に方向の制限がなく任意の方向からターゲット装置の観測を行うことができる。
【００１４】
又本発明によれば、測距光をスキャンし点群データを取得するレーザスキャナと、測距光を反射するターゲットを有するターゲット装置とを具備し、前記ターゲットは、上記いずれかのターゲットであり、前記レーザスキャナは、測距光を射出し、反射光を受光して測距を行う測距部と、測距光を２次元に偏向可能な測距光偏向部と、該測距光偏向部を制御する演算制御部とを具備し、該演算制御部は、前記測距光偏向部により前記ターゲットの表面を通過する様測距光をスキャンし、該スキャンで得られる点群データに基づき前記ターゲット表面の曲面を演算し、該曲面に基づき基準点を求め、該基準点を測距する様構成されたので、レーザスキャナによるオフセット観測が可能となり、又スキャン軌跡が前記ターゲットを通過すれば、前記ターゲットからの反射光を受光でき、更にスキャン軌跡が前記ターゲットを通過すればよいので、厳密な視準を必要とせず測定作業が容易となるという優れた効果を発揮する。
【図面の簡単な説明】
【００１５】
【図１】本発明の第１の実施例に係るシステム概略図である。
【図２】（Ａ）（Ｂ）は、第１の実施例に於けるターゲットとスキャンパターンとの関係を示す説明図である。
【図３】（Ａ）（Ｂ）は、第１の実施例のターゲットの変形例を示す図である。
【図４】第２の実施例に係るターゲットとスキャンパターンとの関係を示す説明図である。
【図５】（Ａ）（Ｂ）は、第３の実施例に係るターゲットとスキャンパターンとの関係を示す説明図である。
【図６】（Ａ）（Ｂ）は、第４の実施例に係るターゲットとスキャンパターンとの関係を示す説明図である。
【図７】スキャンパターンの一例である８の字スキャンパターンを示す図である。
【図８】該８の字スキャンパターンを用いたオフセット観測の概略説明図である。
【図９】（Ａ）は該８の字スキャンパターンを用いた詳細説明図であり、（Ｂ）は点群データと直接フィッティングの関係を示す図である。
【図１０】点群データと断面形状のパターンフィッティングの関係を示す図である。
【発明を実施するための形態】
【００１６】
以下、図面を参照しつつ本発明の実施例を説明する。
【００１７】
図１は、本発明に係る第１の実施例を示す概略図である。
【００１８】
図１中、１は本実施例に係る測量システムを示し、２は該測量システムに用いられるターゲット装置、３はレーザスキャナを示している。
【００１９】
先ず、前記ターゲット装置２について説明する。
【００２０】
該ターゲット装置２は、下端が測定点Ｐを指示する様に尖端となったポール５と、該ポール５の所定位置に設けられたターゲット６とを有している。
【００２１】
前記ターゲット６は、３角形を前記ポール５の軸心８を中心に回転させて得られる回転体であり、前記ターゲット６を上下にポール５が貫通している。従って、前記ターゲット６は、２つの円錐台を底面を境界に上下に合体させた形状を有している。又、前記ターゲット６は上下の中心位置に最大径となる稜線７を有し、該稜線７の直径Ｄは既知となっている。前記２つの円錐台は、既知の形状を有し、円錐台を構成する上円錐曲面１６ａ（図２参照）、下円錐曲面１６ｂ（図２参照）は既知の曲面となっている。又、前記軸心８は前記上円錐曲面１６ａの底面（又は下円錐曲面１６ｂの底面）の中心を垂直に通過する。この底面の中心は、前記ターゲット６の中心となると共に前記ターゲット６の基準点となる。
【００２２】
尚、前記上円錐曲面１６ａと前記下円錐曲面１６ｂの円錐角を異なる角度とすれば、前記上円錐曲面１６ａ、前記下円錐曲面１６ｂの曲面の相違を判別することで、前記ターゲット６の上下の判別が可能となる。尚、以下の説明では前記上円錐曲面１６ａ、前記下円錐曲面１６ｂを同一曲面としている。
【００２３】
又、前記ターゲット６の中心（基準点）は、前記軸心８上にあり、ポール５の下端から前記ターゲット６の基準点迄の距離Ｌは、既知となっている。
【００２４】
前記ターゲット６の表面は、前記レーザスキャナ３からの測距光を反射する様、反射率の高い白色とするか、或は更に、反射率の高い反射シートで覆われていることが好ましい。
【００２５】
又、前記ポール５の前記ターゲット６から上下に延びる所要範囲が、前記ターゲット６と同様白色であるか、或は反射シートで覆われている。尚、前記ポール５の全長を白色、或は反射シートとしてもよい。
【００２６】
前記レーザスキャナ３は、２次元の局所スキャン（２次元局所スキャン）を行う機能を有し、更に円スキャンも実行できる機能を有するレーザスキャナが用いられる。
【００２７】
尚、レーザスキャナ３としては、特許文献４或は特許文献５に示されるレーザスキャナを用いることができる。
【００２８】
該レーザスキャナ３について略述すると、該レーザスキャナ３は主に、演算制御部１１、測距部１２、測距光偏向部１３を有している。
【００２９】
前記測距部１２は、パルス光、或は特許文献３に示される断続変調光（即ち、バースト光）を測距光１５として射出し、前記ターゲット６で反射された反射測距光を受光し、測距光の発光タイミングと受光タイミングの時間差と、光速に基づき測定対象迄の距離を測定する。前記測距部１２は、光波距離計（ＥＤＭ）として機能する。前記測距光１５は、可視光又は不可視光のいずれでもよい。
【００３０】
前記測距光偏向部１３に於いて、２次元スキャンしている状態でのスキャン中心をスキャン中心光軸とする。前記測距光偏向部１３は、前記スキャン中心光軸に対して測距光を２軸（水平／鉛直）に偏向し、所要のパターンで測距光をスキャンする機能を有する。尚、前記測距光偏向部１３による偏向作用がない状態での光軸を基準光軸Ｒとする。
【００３１】
尚、前記測距光偏向部１３として、特許文献１に示される測量装置が有する一対の円板の光学プリズムで構成される光軸偏向ユニットを用いることができる。或は、前記測距光偏向部１３として、２軸ガルバノミラーを用いた偏向手段を用いることもできる。
【００３２】
尚、２軸ガルバノミラーを用いた偏向手段については、例えば、特許文献６に示されている。
【００３３】
前記演算制御部１１は、主にＣＰＵ、記憶部、入出力制御部等を有し、前記測距部１２を制御して測距を行うと共に、前記測距光偏向部１３を制御して、測距光を水平、鉛直の２軸に偏向し、所要のパターンで測距光を２次元にスキャンさせる。
【００３４】
尚、スキャンの２次元パターンとしては、例えば円パターンがある。円パターンを実行する場合、前記演算制御部１１は、基準光軸Ｒに対して任意の偏角で、前記基準光軸Ｒを中心に測距光を回転することで、円スキャンが実行される。又、その他、２次元スキャンとしては、例えば、図７に示される８の字スキャンパターン９が実行される。尚、スキャンパターンについては、円パターン、楕円パターン、螺旋パターン等、任意のパターンが選択可能である。
【００３５】
更に、スキャン実行中、パルス毎に測距が行われ、パターン軌跡に沿って点群データが取得される。尚、図１中、前記ターゲット６上の破線の点は、測定点を示している。
【００３６】
以下、図１に於ける前記ターゲット装置２により、オフセット観測をする場合について説明する。
【００３７】
先ず、前記ターゲット装置２が鉛直、又は略鉛直の状態で支持されている場合を説明する。
【００３８】
前記レーザスキャナ３を前記ターゲット装置２に向け、所要の範囲で局所スキャンを実行し、スキャン軌跡が前記ターゲット６を上下に横切る状態を実現させる。即ち、スキャン軌跡ａが前記ターゲット６の前記上円錐曲面１６ａと前記下円錐曲面１６ｂとを横切る状態を実現させる。
【００３９】
図２（Ａ）、図２（Ｂ）は、前記ターゲット６とスキャン軌跡１７との関係を示している。図２（Ａ）、図２（Ｂ）中、前記スキャン軌跡１７上の…は、パルス光の照射点、即ち測定点を示している。前記スキャン軌跡１７に沿って点群データ１７ａが取得される。又、図２（Ａ）で示されるスキャンパターンは、前記ターゲット６上（前記上円錐曲面１６ａ、前記下円錐曲面１６ｂ上）で交点が形成されるパターンとなっている。
【００４０】
以下、図１、図２（Ａ）、図２（Ｂ）を参照して作用を説明する。又、以下の説明では測距光１５を可視光として説明する。
【００４１】
前記ターゲット装置２を測定点Ｐに立設する。
【００４２】
前記レーザスキャナ３を前記ターゲット装置２に向ける。所定の２次元スキャンパターンを選択して、スキャンを開始する。スキャン最初は、２次元スキャンパターンの中心が前記基準光軸Ｒとし、前記測距光偏向部１３が持つ最大偏角の範囲で測距光１５をスキャンさせる。又、スキャン最初は、高速でスキャン可能な２次元スキャンが好ましく、例えば円スキャンａ（図１参照）が選択される。
【００４３】
スキャンパターンを同一形状に維持しつつ、偏角の範囲を縮小していく。前記ターゲット装置２からの反射光が得られると、反射光に基づき測定点（測距光が照射された点）の測距値、測角値が取得される。この測距値、測角値がスキャンパターンの中心となる様に、スキャン中心光軸を前記基準光軸Ｒに対して偏向する。又、測距値、測角値が複数得られる場合は、その平均値にスキャン中心光軸を偏向する。
【００４４】
更に、スキャンパターンの範囲（大きさ）を、前記ターゲット６が含まれる程度に縮小する。
【００４５】
スキャンパターンを上下に移動し、測距値が急激に変化する部分を探索する。
【００４６】
測距値が急激に変化する部分が探索されると、その部分が前記ターゲット６であると判断される。本実施例に於いては、前記ターゲット６を探索できたときが、前記ターゲット６を視準した状態として差支えない。従って、前記ターゲット６を視準する場合に、前記スキャン中心光軸が前記ターゲット６の中心に合致していなくてもよい。
【００４７】
前記スキャン中心光軸を固定し、前記ターゲット６を通過する軌跡上の点群データを取得する。
【００４８】
前記演算制御部１１は、前記点群データの測距値に、既知の曲面である前記上円錐曲面１６ａ、前記下円錐曲面１６ｂをフィッティングし、それぞれの母線（図２（Ｂ）に見られる上下の傾斜線）及び前記稜線７を求める。更に、前記演算制御部１１は、該稜線７から前記上円錐曲面１６ａ（又は下円錐曲面１６ｂ）の底面を求め、底面中心（基準点）を演算し、更に底面の傾斜角、傾斜方向を演算する。更に、前記演算制御部１１は、底面の傾斜角、傾斜方向から前記軸心８の傾斜角、傾斜方向を演算する。
【００４９】
前記演算制御部１１は、前記レーザスキャナ３から前記ターゲット６の基準点迄の距離を前記測距値、前記ターゲット６の稜線７の直径に基づき演算する。更に、前記レーザスキャナ３から前記ターゲット６中心迄の距離と、前記ポール５の下端から前記ターゲット６の基準点迄の距離と、前記軸心８の傾斜、傾斜方向に基づき測定点Ｐの位置を演算する。
【００５０】
前記ターゲット６は、前記軸心８を中心とする回転体の形状であるので、前記軸心８を中心とする３６０゜の方向から、即ち任意の方向から前記ターゲット６の測定（オフセット観測）を行うことができる。
【００５１】
尚、前記ターゲット６の上下の判断は、前記上円錐曲面１６ａと前記下円錐曲面１６ｂの形状を異ならせることで可能である。
【００５２】
更に前記ポール５の上部５ａ（図８参照）と下部５ｂ（図８参照）の直径を異ならせ、スキャン軌跡１７が前記上部５ａと前記下部５ｂを通過した時の測距値で判断してもよい。又、前記上部５ａの直径と前記下部５ｂの直径とを既知としておけば、スキャン軌跡１７が前記上部５ａの直径と前記下部５ｂのいずれか一方を通過すれば、前記ターゲット装置２の上下判断が可能である。
【００５３】
尚、前記ポール５の軸心８の傾斜、傾斜方向の測定については、前記円スキャンａより大径の円スキャンｂを実行することで求めてもよい。該円スキャンｂは、前記ターゲット６に掛らない大径とし、前記円スキャンｂは前記ターゲット６の上方、下方で前記ポール５を横切る様に設定される。
【００５４】
前記円スキャンｂが前記ポール５を横切る際の点群データから、前記軸心８の上下２点の３次元座標を求め、該２点の３次元座標で前記軸心８の傾斜、傾斜方向を測定する。
【００５５】
図３（Ａ）、図３（Ｂ）は、図２（Ａ）、図２（Ｂ）で示したターゲット装置２の変形例を示している。尚、図３（Ａ）、図３（Ｂ）中、図２（Ａ）、図２（Ｂ）中で示したものと同等のものには同符号を付してある。
【００５６】
図３の変形例のターゲット６′は、図２で示されるターゲット６の稜線７の保護の為、稜線部７ａを切除している。
【００５７】
前記ターゲット６′では、上円錐曲面１６ａ、下円錐曲面１６ｂの延長によって仮想の稜線７が設定され、該稜線７の直径も既知とされる。
【００５８】
前記ターゲット６′についての測定については、前記ターゲット６と同様であるので説明を省略する。
【００５９】
図４は、ターゲットの第２の実施例を示している。
【００６０】
第２の実施例に於けるターゲット１８について説明する。
【００６１】
尚、図４中、図２（Ａ）、図２（Ｂ）中で示したものと同等のものには同符号を付してある。
【００６２】
該ターゲット１８は、２つの円錐台を上面を境界に上下に合体させた形状を有している。又、前記ターゲット１８は上下の中心位置（中間位置）に最小径となる凹稜線７′を有し、該凹稜線７′の直径Ｄは既知となっている。前記ターゲット１８の場合、前記円錐台の上面の中心が前記ターゲット１８の基準点となる。
【００６３】
前記２つの円錐台は、既知の形状を有し、円錐台を構成する上円錐曲面１８ａ、下円錐曲面１８ｂは既知の曲面となっている。又、ポール５の軸心８は前記上円錐曲面１８ａの上面（又は下円錐曲面１８ｂの上面）の中心、即ち前記ターゲット１８の中心を垂直に通過する。
【００６４】
尚、前記上円錐曲面１８ａと前記下円錐曲面１８ｂの円錐角を異なる角度とすれば、前記上円錐曲面１８ａ、前記下円錐曲面１８ｂの曲面の相違を判別することで、前記ターゲット１８の上下の判別が可能となる。尚、以下の説明では前記上円錐曲面１８ａ、前記下円錐曲面１８ｂは同一曲面としている。
【００６５】
又、前記ターゲット１８の中心（基準点）は、前記軸心８上にあり、ポール５の下端から前記ターゲット６の基準点迄の距離は、既知となっている。
【００６６】
前記ターゲット１８の表面は、前記レーザスキャナ３からの測距光を反射する様、反射率の高い白色とするか、或は更に、反射率の高い反射シートで覆われていることが好ましい。
【００６７】
第２の実施例に於いても、前記上円錐曲面１８ａ、前記下円錐曲面１８ｂを通過するスキャン軌跡１７上の点群データ１７ａから前記上円錐曲面１８ａ、前記下円錐曲面１８ｂが演算され、更に前記凹稜線７′、該凹稜線７′が形成する円（上面）が求められ、円の中心から前記ターゲット１８の基準点の位置、更に前記円の傾斜から前記ポール５の軸心８の傾斜角、傾斜方向が求められる。
【００６８】
而して、前記レーザスキャナ３から前記ターゲット１８中心迄の距離（図１参照）と、前記ポール５の下端から前記ターゲット１８の基準点迄の距離と、前記軸心８の傾斜、傾斜方向に基づき測定点Ｐの位置が演算される。
【００６９】
図５（Ａ）、図５（Ｂ）はターゲットの第３の実施例を示している。
【００７０】
第３の実施例に示されるターゲット１９は、球体となっている。該球体の中心はポール５の軸心８上に有り、中心とポール５下端との距離は既知となっている。球体の場合、基準点は球体の中心となる。
【００７１】
該ターゲット１９を通過するスキャン軌跡１７上の点群データ１７ａに基づき前記ターゲット１９の球面が演算され、球面から球面の中心、即ち前記ターゲット１９の中心の位置が演算される。中心の位置に基づき測定点Ｐのオフセット観測が実行される。
【００７２】
図６（Ａ）、図６（Ｂ）はターゲットの第４の実施例を示している。
【００７３】
ターゲット２０は、円錐形状となっている。尚、図６では倒立円錐形が示されているが、正立円錐形でも同様である。該ターゲット２０自身は、中心点をもっていないが、形状によって観測点を示すことができる。
【００７４】
円錐形（ターゲット２０）の軸心とポール５の軸心とは合致している。又、円錐形の底面とポール５の軸心８とは直交し、底面（円）の直径と円錐の頂角は既知となっている。従って、円錐曲面２０ａも既知の曲面となっている。
【００７５】
円錐形の軸心と前記ポール５の軸心８とは合致していることから、円錐形の頂点は前記軸心８上に位置する。前記ターゲット２０を有するターゲット装置２では、円錐形の頂点Ｑの位置をターゲット装置２の観測点とし、前記頂点Ｑと前記ポール５の下端との距離を既知の値とする。前記ターゲット２０の場合、前記頂点Ｑが基準点となり、該頂点Ｑは前記円錐曲面２０ａによって特定される。
【００７６】
第４の実施例に於いて、前記円錐曲面２０ａ上を通過するスキャン軌跡１７で得られる点群データ１７ａより、前記円錐曲面２０ａが演算され、更に該円錐曲面２０ａの頂点Ｑの位置が演算される。
【００７７】
又、該円錐曲面２０ａが演算されることで円錐の軸心が求められ、その際軸心（即ち、前記ポール５の軸心８）の傾斜角、傾斜方向も演算される。
【００７８】
第４の実施例に於いても、前記円錐曲面２０ａ上での点群データ１７ａが取得できればよいので、スキャン中心光軸を厳密に前記ターゲット２０に合致させる必要はない。即ち、厳密に視準しなくてもよい。
【００７９】
従って、前記ターゲット２０をレーザスキャナ３による視準状態とし、前記ターゲット２０をスキャンし、点群データ１７ａを取得する。点群データ１７ａによって前記円錐曲面２０ａが演算され、該円錐曲面２０ａによって頂点Ｑが特定される。前記頂点Ｑを求め、更に軸心８の傾斜角、傾斜方向を求めることで、測定点Ｐのオフセット観測が行える。
【００８０】
尚、前記測距光偏向部１３が、前記ポール５の任意の２点を通過する様、測距光をスキャンさせ、前記２点の測距値を得ることで、より簡単に且つ高精度に前記軸心８の傾斜角、傾斜方向を演算することができる。
【００８１】
図８は、図７で示した８の字スキャンパターン９を選択して、ターゲット６についてオフセット観測をした場合を示している。
【００８２】
前記８の字スキャンパターン９の交点９ａが前記ターゲット６上に位置する様に視準する。
【００８３】
前記８の字スキャンパターン９を実行することで、前記ターゲット６についての点群データが取得できると共に前記ポール５の２点（上部５ａ及び下部５ｂ）の測距データが得られ、頂点Ｑと前記ポール５の傾斜角、傾斜方向が得られ、測定点Ｐのオフセット観測が行える。
【００８４】
前記８の字スキャンパターン９による測定点Ｐのオフセット観測について、図９、図１０に於いて、更に説明する。
【００８５】
前記８の字スキャンパターン９が前記ポール５の上下２箇所を横切ることで、上下２箇所の前記ポール５についての点群データが取得でき、この点群データから前記軸心８の上下２点８ａ，８ｂの３次元データが取得できる。更に、この２点８ａ，８ｂの３次元座標から前記軸心８の傾斜、傾斜方向が測定できる。
【００８６】
従って、前記ターゲット６を通過する前記８の字スキャンパターン９で取得される点群データ２２を前記軸心８からの距離に換算できる。この点群データ２２に直線フィッティングすることで稜線７が得られる（図９（Ｂ）参照）。この稜線７の半径（Ｄ／２）は、前記ターゲット６の半径（Ｄ／２）であり、既知の値となる。
【００８７】
該稜線７を含み前記軸心８に直交する平面と前記軸心８との交点が、ターゲット装置２の基準位置となる。従って、点群データ２２の測距値から基準位置の３次元座標が求まる。更に、この基準位置とポール５下端との距離Ｌは既知であり、基準位置の３次元座標、前記軸心８の傾斜、傾斜方向から測定点Ｐのオフセット観測が行える。
【００８８】
図１０は、点群データ２２に対する直線フィッティングに代え、前記ターゲット６の断面形状と点群データ２２とのマッチングを行い基準位置を求める様にしたものである。
【００８９】
前記ターゲット６の半断面形状をマッチングパターン２３として用意し、点群データ２２を取得した後、前記マッチングパターン２３を前記軸心８に沿って上下させることでマッチング位置を検出する。マッチング後、前記マッチングパターン２３の頂点を通過する垂線と前記軸心８との交点が基準点となる。
【００９０】
前記マッチングパターン２３を全ての点群データ２２に同時にマッチングさせるので、点群データ２２のバラツキの影響が少なく、容易に且つ精度よくマッチングが可能となる。
【００９１】
尚、前記ターゲットの形状については、上記した形状に限定されることはなく、軸心方向に沿って径が変化する回転体の既知の形状であればよい。
【符号の説明】
【００９２】
１              測量システム
２              ターゲット装置
３              レーザスキャナ
５              ポール
６              ターゲット
７              稜線
８              軸心
１１            演算制御部
１２            測距部
１３            測距光偏向部
１７            スキャン軌跡
１８            ターゲット
１９            ターゲット
２０            ターゲット
【図１】
2020012645.tif 000003
【図２】
2020012645.tif 000004
【図３】
2020012645.tif 000005
【図４】
2020012645.tif 000006
【図５】
2020012645.tif 000007
【図６】
2020012645.tif 000008
【図７】
2020012645.tif 000009
【図８】
2020012645.tif 000010
【図９】
2020012645.tif 000011
【図１０】
2020012645.tif 000012